(57)【要約】【課題】安価な構造で、信頼性が高い検知動作が出来る検知機構を備えた空気清浄機を提供する。【解決手段】ハウジング内に塵挨を捕集するための集塵フィルタや脱臭フィルタなどの浄化フィルタユニットが収納できる本体と、浄化フィルタユニットの上流に形成される空気吸込口と、空気吸込口から空気を取り入れて浄化フィルタユニットに空気を通過させるための遠心ファンと電動送風機とを本体内に備え、ハウジング内には浄化フィルタユニットを装着する浄化フィルタユニット装着部を形成し、検知機構は、浄化フィルタユニット装着部の上面に取り付けられており、検出機構は、検知センサと、検知レバーと、で構成され、検知センサは、本体内に取り付けられ、検知レバーは、浄化フィルタユニット装着部内に位置するよう突出させ、浄化フィルタユニット装着部内に集塵フィルタを挿入することにより、集塵フィルタの有無を検知することが可能な検出手段を設けた。【選択図】図９
2016070539.tif 000002
【特許請求の範囲】
【請求項１】
ハウジング内に塵挨を捕集するための集塵フィルタや脱臭フィルタなどの浄化フィルタユニットが収納できる本体と、前記浄化フィルタユニットの上流に形成される空気吸込口と、前記空気吸込口から空気を取り入れて前記浄化フィルタユニットに空気を通過させるための遠心ファンと電動送風機とを前記本体内に備え、
前記ハウジング内には前記浄化フィルタユニットを装着する浄化フィルタユニット装着部を形成し、
検知機構は、前記浄化フィルタユニット装着部の上面に取り付けられており、
前記検出機構は、検知センサと、検知レバーと、で構成され、
前記検知センサは、前記本体内に取り付けられ、
前記検知レバーは、前記浄化フィルタユニット装着部内に位置するよう突出させ、前記浄化フィルタユニット装着部内に前記集塵フィルタを挿入することにより、集塵フィルタの有無を検知することが可能な検出手段を設けたことを特徴とする空気清浄機。
【請求項２】
ハウジングと、該ハウジング内に形成される浄化フィルタユニット装着部と、該浄化フィルタユニット装着部に取り付けや取り外しが可能な浄化フィルタユニットと、前記ハウジング内で前記浄化フィルタユニットの下流に設けられたモータと、前記浄化フィルタユニットが前記浄化フィルタユニット装着部に取り付けられているか否かを検知する検知機構と、を備え、
前記検知機構は、前記浄化フィルタユニット装着部の上面に取り付けられており、
前記検知機構は、検知センサと、検知レバーと、で構成され、
前記検知レバーの一端は、前記浄化フィルタユニット装着部内に位置する状態と、前記検知センサ間に位置する状態と、の間で回動可能であり、
前記検知レバーの一端が前記検知センサ間に位置する状態は、前記浄化フィルタユニットが前記浄化フィルタユニット装着部に取り付けられている状態であり、
前記検知レバーの一端が前記浄化フィルタユニット装着部内に位置する状態は、前記浄化フィルタユニットが前記浄化フィルタユニット装着部に取り付けられていない状態であることを特徴とする空気清浄機。
【請求項３】
前記検知センサは、赤外線センサであることを特徴とする請求項1又は２に記載の空気清浄機。
【請求項４】
前記浄化フィルタユニットのうち前記集塵フィルタが前記浄化フィルタユニット装着部に取り付けられていない場合は、前記空気清浄機の運転が停止するよう制御し、操作部を操作しても空気清浄機の運転を行わないように制御させることを特徴とする請求項１乃至３の何れか１項に記載の空気清浄機。
【発明の詳細な説明】
【技術分野】
【０００１】
本発明は、空気清浄機に関する。
【背景技術】
【０００２】
従来の空気清浄機では、安全性を高めるために以下のような構造が用いられている。特許文献１には、フィルタ収容部材が吸込口に嵌めこまれた場合のみ電機集塵装置を作動する構造が開示されている。
【先行技術文献】
【特許文献】
【０００３】
【特許文献１】特開平３-２０４５６６号公報
【発明の概要】
【発明が解決しようとする課題】
【０００４】
空気清浄機は部屋の汚れたほこりや塵挨を捕集する機能を有しているのが基本であり、構造としては集塵フィルタのうち一番手前（外側）には大きな塵挨を捕集するためのプレフィルタを設け、安価な構造としては前記プレフィルタをたわませて取り出すタイプが一般的である。
【０００５】
特許文献１のように、空気清浄機本体（ハウジング）に集塵フィルタを取り付けた位置に対し、前記集塵フィルタの裏側（遠心ファン方向）に検知装置を配置する場合、前記プレフィルタが経時変化や繰り返し脱着により変形すると集塵フィルタなどの検知対象物の位置が変位し、検知装置のストローク等が不足し検知できない恐れがある。
【０００６】
本発明は、安価な構造で、信頼性が高い検知動作が出来る検知機構を備えた空気清浄機を提供することにある。
【課題を解決するための手段】
【０００７】
前記課題を解決するため、本発明は、ハウジング内に塵挨を捕集するための集塵フィルタや脱臭フィルタなどの浄化フィルタユニットが収納できる本体と、前記浄化フィルタユニットの上流に形成される空気吸込口と、前記空気吸込口から空気を取り入れて前記浄化フィルタユニットに空気を通過させるための遠心ファンと電動送風機とを前記本体内に備え、前記ハウジング内には前記浄化フィルタユニットを装着する浄化フィルタユニット装着部を形成し、検知機構は、前記浄化フィルタユニット装着部の上面に取り付けられており、前記検出機構は、検知センサと、検知レバーと、で構成され、前記検知センサは、前記本体内に取り付けられ、前記検知レバーは、前記浄化フィルタユニット装着部内に位置するよう突出させ、前記浄化フィルタユニット装着部内に前記集塵フィルタを挿入することにより、集塵フィルタの有無を検知することが可能な検出手段を設けたことを特徴とする。
【０００８】
また、前記課題を解決するため、本発明は、ハウジングと、該ハウジング内に形成される浄化フィルタユニット装着部と、該浄化フィルタユニット装着部に取り付けや取り外しが可能な浄化フィルタユニットと、前記ハウジング内で前記浄化フィルタユニットの下流に設けられたモータと、前記浄化フィルタユニットが前記浄化フィルタユニット装着部に取り付けられているか否かを検知する検知機構と、を備え、前記検知機構は、前記浄化フィルタユニット装着部の上面に取り付けられており、前記検知機構は、検知センサと、検知レバーと、で構成され、前記検知レバーの一端は、前記浄化フィルタユニット装着部内に位置する状態と、前記検知センサ間に位置する状態と、の間で回動可能であり、前記検知レバーの一端が前記検知センサ間に位置する状態は、前記浄化フィルタユニットが前記浄化フィルタユニット装着部に取り付けられている状態であり、前記検知レバーの一端が前記浄化フィルタユニット装着部内に位置する状態は、前記浄化フィルタユニットが前記浄化フィルタユニット装着部に取り付けられていない状態であることを特徴とする。
【発明の効果】
【０００９】
本発明によれば、安価な構造で、信頼性が高い検知動作が出来る検知機構を備えた空気清浄機提供することができる。
【図面の簡単な説明】
【００１０】
【図１】本発明の実施形態に係る空気清浄機の外観斜視図である。
【図２】本発明の実施形態に係る空気清浄機の分解斜視図である。
【図３】本発明の実施形態に係る空気清浄機の内部構造をその背面から見た際の給水機構及び加湿フィルタの構成を模式的に示す構成説明図である。
【図４】本発明の実施形態に係る空気清浄機の内部構造をその左側面から見た際の給水機構及び加湿フィルタの構成を模式的に示す構成説明図である。
【図５】本発明の実施形態に係る空気清浄機の中央断面図である。
【図６】本発明の実施形態に係る空気清浄機の背面から見た浄化フィルタユニットの配置を示す展開斜視図である。
【図７】本発明の実施形態に係る空気清浄機の集塵フィルタを取り付けた状態の検知機構近傍の斜視図である。
【図８】本発明の実施形態に係る空気清浄機の集塵フィルタを取り外した状態の検知機構近傍の斜視図である。
【図９】本発明の実施形態に係る空気清浄機の集塵フィルタを取り付けた状態の検知機構の断面図である。
【図１０】本発明の実施形態に係る空気清浄機の集塵フィルタを取り外した状態の検知機構の断面図である。
【図１１】本発明の実施形態に係る空気清浄機の送風機構（大きいモータ組込）の部分展開斜視図である。
【図１２】本発明の実施形態に係る空気清浄機の送風機構（小さいモータ組込）の部分展開斜視図である。
【図１３】（ａ）本発明の実施形態に係る空気清浄機の大きいモータを組み込んだときの展開斜視図である。（ｂ）本発明の実施形態に係る空気清浄機の大きいモータを組み込んだときの正面図である。
【図１４】（ａ）本発明の実施形態に係る空気清浄機の小さいモータを組み込んだときの展開斜視図である。（ｂ）本発明の実施形態に係る空気清浄機の小さいモータを組み込んだときの正面図である。
【図１５】（ａ）本発明の実施形態に係る空気清浄機のロック解除時の斜視図である。（ｂ）本発明の実施形態に係る空気清浄機のロック時の斜視図である。
【図１６】（ａ）本発明の実施形態に係る空気清浄機のロック解除時の断面図である。（ｂ）本発明の実施形態に係る空気清浄機のロック時の断面図である。
【図１７】（ａ）本発明の実施形態に係る空気清浄機のロック解除時の部分拡大図である。（ｂ）本発明の実施形態に係る空気清浄機のロック時の部分拡大図である。
【図１８】本発明の実施形態に係るフロントパネルの分解斜視図である。
【図１９】本発明の実施形態に係る表示ユニットの分解斜視図である。
【図２０】本発明の実施形態に係るフロントパネルの断面図である。
【発明を実施するための形態】
【００１１】
以下に、本発明の実施形態について適宜図面を参照しながら詳細に説明する。
【００１２】
図１は、本発明の実施形態に係る空気清浄機１の外観斜視図である。図２は、空気清浄機１の分解斜視図である。なお、図１には、ハウジング４内に配置される加湿フィルタ３と、給水機構２とを破線（隠れ線）で描いている。
【００１３】
本実施形態に係る空気清浄機１は、後に詳しく説明するように、加湿フィルタ３の鉛直方向上部に水を供給する給水機構２を備える。なお、以下の説明における前後左右上下の方向は、図１に示す空気清浄機１の前後左右上下の方向を基準とし、鉛直方向の上側は、図１に示す上方向の矢印に一致している。
【００１４】
まず、空気清浄機１の全体構成について説明した後に、給水機構２と加湿フィルタ３とについて説明する。
＜空気清浄機の全体構成＞
図１及び図２に示すように、本実施形態に係る空気清浄機１は、フロントパネル４ａと、一対のサイドパネル４ｂ，４ｂ（図１には、左側のサイドパネル４ｂのみ図示）と、アッパケース４ｃと、リアパネル４ｄと、を備えてハウジング４が形成されている。
【００１５】
このハウジング４は、水タンク２０が引き出し可能に収容されるタンクベース６と、これに取り付けられるリアケース４ｅ（図２参照）とを介して組み立てられている。
【００１６】
なお、左側のサイドパネル４ｂには、加湿フィルタ３をハウジング４から取り出す際の開閉蓋４ｆが設けられている。また、図１及び図２中、符号７は、開閉角度の調節可能な後記するフラップである。ちなみに、このフラップ７は、後縁側を軸にして前縁側が持ち上がるように回動して開く構成となっている。
【００１７】
図２に示すように、空気清浄機１のハウジング４内には、リアパネル４ｄ側からフロントパネル４ａ側に向かって、浄化フィルタユニット８と、加湿フィルタ３と、送風機構１０と、がこの順番で配置されている。
【００１８】
なお、後に詳しく説明するが、浄化フィルタユニット８は、プレフィルタ８ａと、集塵フィルタ８ｂと、脱臭フィルタ８ｃとで主に構成され、送風機構１０は、遠心ファン１１と、スクロール１２と、モータ１３とで主に構成されている。
【００１９】
ちなみに、このハウジング４内には、後記する送風機構１０の遠心ファン１１が回転することによって、リアパネル４ｄの両側縁部の開口４ｇ，４ｇからハウジング４の外部の空気が流入する。そして、この空気流は、浄化フィルタユニット８と、加湿フィルタ３と、をこの順番で流通する。その後、空気は、遠心ファン１１が収納されるスクロール１２の上部開口からフィルタ１４及びフラップ７を介して空気清浄機１のハウジング４外に送り出される。
【００２０】
なお、符号１６はプレートである。このプレート１６は板状であり、遠心ファン１１を間においてスクロール１２と面するように配置され、開口４ｇ、４ｇ（空気吸込口）とスクロール１２の上部開口部１２ｂ（空気吹出口）を仕切るスクロール１２の蓋の役割を果たすものである。２７はベルマウスであり、プレート１６にネジによって固定されている。ベルマウス２７は、開口部が設けられ吸い込まれた空気を遠心ファンの径方向内側に流すために流形状の部材である。ベルマウス２７は、開口部に放射状または環状にリブを設けて手指などが、遠心ファン１１の中に入らない形状を備えている。従来の技術としては、プレートには開口部が設けられ吸い込まれた空気を遠心ファンの径方向内側に流すための流形状をしたベルマウスが一体形状で構成され部品点数を低減するなどの効果を有する。しかしながら、空気清浄機の性能向上を図る場合、風量を高めながら騒音低減を行うなどの設計を行うとファン径を大きくする必要が出てくる。その場合、プレートとベルマウスを一体で金型を製作すると最適に設計された形状を変更し、ファン性能に合わせた形状に作り直す必要が生じてしまう恐れがある。また、空気清浄機は比較的大型な形状寸法を有しており、金型を再度作り直すと費用もかかることになる。さらには一体に形成すると金型形状変更の際には大きい金型ほど時間も有し、幾度となく変更し最適化に至るまでには費用や時間をかなり費やす恐れがある。ただし、本発明の実施形態では、モータ１３の仕様違いや遠心ファン１１の形状が異なる空力特性を変える必要が生じたときなどを考慮し、プレート１６とベルマウス２７とを別部品としており、ベルマウス２７のみを変更することができるようにしている。これにより、上記必要が生じたときにベルマウス２７の変更で対応できるように設計されている。大型の金型製作をすることがなく、安価に仕様が異なる性能を有することが可能となる。２８はタンクハウスである。
【００２１】
ベルマウス２７とプレート１６とはネジまたは嵌め合い、さらには溶着接続などにて固定される。
【００２２】
浄化フィルタユニット８は、リアパネル４ｄ側からフロントパネル４ａ側に向かって、プレフィルタ８ａと、集塵フィルタ８ｂと、脱臭フィルタ８ｃと、がこの順番で配置されて構成されている。
【００２３】
プレフィルタ８ａは、綿ゴミ等の比較的大きなゴミを捕集するものである。集塵フィルタ８ｂは、チリ、ホコリ、花粉等の比較的小さな微粒子を捕集するものである。脱臭フィルタ８ｃは、臭いの元となる化学物質を吸着するものである。
【００２４】
加湿フィルタ３は、これを流通する空気の湿度を高めるものである。この加湿フィルタ３については、後に詳しく説明する。
【００２５】
送風機構１０は、スクロール１２内に配置される遠心ファン１１と、この遠心ファン１１を回転させるモータ１３とを備えて構成されている。
【００２６】
この送風機構１０は、前記したように、遠心ファン１１が回転することにより、リアパネル４ｄの開口４ｇ，４ｇから導入した空気を浄化フィルタユニット８及び加湿フィルタ３に流通させた後、フラップ７を介してハウジング４外に送り出す。
＜給水機構＞
次に、空気清浄機１の給水機構２について説明する。
【００２７】
給水機構２は、図２に示すように、タンクベース６に収納される水タンク２０と、水タンク２０に貯留される水を汲み上げるポンプ２１と、加湿フィルタ３に配置される後記の給水管２２（図３及び図４参照）と、ポンプ２１と給水管２２とを連結する連結管２３と、水タンク２０内に留置され、ポンプ２１と連結する後記の汲み上げ管２４（図３及び図４参照）と、を備えている。
【００２８】
タンクベース６は、図２に示すように、略直方体の箱体で形成され、その側部開口から水タンク２０の出し入れができるようになっている。このタンクベース６の上面には、加湿フィルタ３が載置される受け皿６ａが設けられ、この受け皿６ａには、タンクベース６内と連通する連通孔６ｂが形成されている。
【００２９】
水タンク２０は、図２に示すように、略直方体の箱体で形成され、その内部には加湿フィルタ３に供給される水が貯留されるようになっている。
【００３０】
符号２０ａは、水タンク２０の上面に形成された連通孔であり、この連通孔２０ａは、水タンク２０の内外を連通させている。
【００３１】
符号３３は電源ボタンである。符号２６はフィルタケースである。
【００３２】
図３は、本発明の実施形態に係る空気清浄機１の内部構造を背面から見た際の給水機構２及び加湿フィルタ３の構成を模式的に示す構成説明図である。図４は、本発明の実施形態に係る空気清浄機１の内部構造を左側面から見た際の給水機構２及び加湿フィルタ３の構成を模式的に示す構成説明図である。
【００３３】
なお、図３及び図４中の符号４は、ハウジングであり、符号６は、タンクベースである。図４中の符号８は、浄化フィルタユニットであり、符号２は、給水機構であり、符号１１は、遠心ファンであり、符号１２はスクロールであり、符号１３は、モータであり、符号４ｇは、ハウジング４（図２のリアパネル４ｄ）の開口である。図３及び図４中、ハウジング４、開口４ｇ、タンクベース６、遠心ファン１１、スクロール１２、及びモータ１３は、それぞれ仮想線（二点鎖線）で描いている。
【００３４】
図３に示すように、ポンプ２１の吸引部（図示省略）にはアダプタ管２１ａが設けられている。このアダプタ管２１ａは、水タンク２０に留置される汲み上げ管２４と着脱自在に連結されている。
【００３５】
汲み上げ管２４は、水タンク２０に水没する位置に複数の吸込孔２４ａが形成されている。また、汲み上げ管２４は、水タンク２０の上方に延出する途中でアダプタ管２１ａに向けてＬ字状に屈曲しており、その先端部とアダプタ管２１ａとは嵌合している。
【００３６】
ちなみに、図２に示すように、タンクベース６から水タンク２０を引き出した際には、汲み上げ管２４（図３参照）とアダプタ管２１ａ（図３参照）との嵌合が解除される。また、タンクベース６内に水タンク２０を収納した際には、汲み上げ管２４とアダプタ管２１ａとは再び嵌合する。
【００３７】
図３に示すように、ポンプ２１の吐出部（図示省略）には連結管２３が接続されている。この連結管２３は、ポンプ２１側から加湿フィルタ３の右縁沿いに鉛直方向上側に向けて延出するとともに、加湿フィルタ３の上縁部側に向けて屈曲して給水管２２との連結部２３ａを備えている。
【００３８】
この連結部２３ａは、後記する給水管２２の一端側と着脱自在に嵌合している。
【００３９】
ちなみに、図１に示す開閉蓋４ｆを開いて加湿フィルタ３をハウジング４内から取り出す際には、給水管２２（図３参照）と連結部２３ａ（図３参照）との嵌合が解除される。また、ハウジング４内の元の位置に加湿フィルタ３を配置した際には、給水管２２と連結部２３ａとは再び嵌合する。
【００４０】
図３に示すように、給水管２２は、加湿フィルタ３の鉛直方向上縁部に沿って延在するように配置されている。
【００４１】
また、給水管２２は、連結部２３ａと嵌合する一端側から他端側に向けて（本実施形態では空気清浄機１の右側から左側に向けて）下り勾配に傾斜している。なお、本実施形態では、給水管２２の一端側に形成される図示しない開口が、特許請求の範囲にいう「給水部」に相当する。
【００４２】
このような給水管２２には、その延在方向に沿うように複数の給水穴２２ａを有している。
＜加湿フィルタ＞
本実施形態での加湿フィルタ３は、板状体である。
【００４３】
図４に示すように、加湿フィルタ３は、浄化フィルタユニット８と送風機構１０との間で、鉛直方向に立設されている。そして、給水管２２は、加湿フィルタ３の鉛直方向上縁部の空気上流側に配置されている。
【００４４】
なお、図４中の白抜き矢印は、空気の流れを表している。
【００４５】
本実施形態での加湿フィルタ３は、可撓性を有している。そして、加湿フィルタ３は、図３及び図４に示すように、その周囲が枠体３ａで支持されている。
【００４６】
加湿フィルタ３は、図４に示すように、鉛直方向下縁部側から給水管２２の鉛直方向下部に向かって延びる途中で給水管２２の空気下流側の側面部に至るように延びている。言い換えれば、加湿フィルタ３は、鉛直方向下縁部側から給水管２２に向かって延びて、給水管２２に当接する直前で給水管２２の空気下流側に向けて屈曲している。
【００４７】
また、加湿フィルタ３を支持する枠体３ａの下部には、図３及び図４に示すように、水受けトレイ３ｂが設けられている。
【００４８】
ちなみに、図１に示す開閉蓋４ｆを開いて加湿フィルタ３をハウジング４内から取り出す際には、加湿フィルタ３（図３及び図４参照）と枠体３ａ（図３及び図４参照）と水受けトレイ３ｂ（図３及び図４参照）とが一体となってハウジング４内から取り出される。
【００４９】
図３及び図４に示すように、水受けトレイ３ｂには、ドレイン孔３ｃが形成され、このドレイン孔３ｃは、図１に示すタンクベース６の受け皿６ａ側に開口している。
【００５０】
なお、ドレイン孔３ｃには、開閉弁Ｖが設けられており、ハウジング４内の所定位置に加湿フィルタ３が配置されている際には、開閉弁Ｖが上方に向けて付勢されることでドレイン孔３ｃは開かれている。そして、加湿フィルタ３をハウジング４内から取り出す際には、開閉弁Ｖがドレイン孔３ｃを閉じる構成となっている。
【００５１】
したがって、加湿フィルタ３をハウジング４内から取り出す際には、ドレイン孔３ｃが閉じられて、加湿フィルタ３から滴り落ちる水は、水受けトレイ３ｂに受け止められる。これにより、加湿フィルタ３から滴り落ちる水で、室内の床面等が濡れることが防止される。
【００５２】
次に、本実施形態に係る空気清浄機１の動作を説明しながら作用効果について説明する。
【００５３】
図３に示すように、ポンプ２１が起動することで、水タンク２０の水は、吸込孔２４ａを有する汲み上げ管２４、連結管２３、及び給水管２２を介して給水管２２の給水穴２２ａから加湿フィルタ３に供給される。この際、水が給水穴２２ａから滴下するようポンプ２１の出力が設定されることが望ましい。
【００５４】
図４に示すように、給水管２２から加湿フィルタ３の鉛直方向上部に供給された水は、加湿フィルタ３の鉛直方向上部から鉛直方向下部へと流下していく。
【００５５】
この空気清浄機１によれば、加湿フィルタ３が毛細管現象で水を吸い上げる従来の空気清浄機（例えば、特許文献１参照）と比べて、加湿フィルタ３における水の湿潤率が一段と向上する。
【００５６】
なお、加湿フィルタ３から水受けトレイ３ｂに滴り落ちた水は、ドレイン孔３ｃから、図２に示す受け皿６ａの連通孔６ｂ、及び水タンク２０の連通孔２０ａを介して水タンク２０内に戻される。つまり、水タンク２０の水は、ポンプ２１によって還流する。
【００５７】
また、図４に示すように、送風機構１０の遠心ファン１１がモータ１３により回転することで、リアパネル４ｄ（図２参照）の開口４ｇから白抜き矢印で示されるように空気が流入する。そして、この空気は、浄化フィルタユニット８を流通することで浄化され、加湿フィルタ３を流通することで加湿される。その後、空気は、スクロール１２の上部からフラップ７（図２参照）を介してハウジング４外に送り出される。
【００５８】
そして、本実施形態に係る空気清浄機１では、空気が加湿フィルタ３を流通して加湿される際に、加湿フィルタ３に含まれる水は蒸発するが、水は給水管２２により加湿フィルタ３の鉛直方向上部から鉛直方向下部へと流下する。これにより空気清浄機１は、加湿フィルタ３に蒸発残渣等が付着することが防止される。よって、この空気清浄機１によれば、従来の空気清浄機（例えば、特許文献１参照）と比べて、加湿フィルタ３における水の湿潤率が一段と向上する。
【００５９】
したがって、この空気清浄機１によれば、従来と比較して優れた加湿性能を発揮することができる。
【００６０】
また、本実施形態に係る空気清浄機１では、図３に示すように、給水管２２が加湿フィルタ３の鉛直方向上縁部に沿って延在するように配置され、この給水管２２には、その延在方向に沿うように複数の給水穴２２ａが形成されている。したがって、この空気清浄機１によれば、加湿フィルタ３が効率よく湿潤される。
【００６１】
また、本実施形態に係る空気清浄機１では、図４に示すように、給水管２２は、加湿フィルタ３の空気上流側に配置されている。この空気清浄機１によれば、給水管２２が加湿フィルタ３の空気下流側に配置されているものと比べて、給水管２２から滴下する水が空気に同伴して、空気清浄機１から水滴として排出されることが防止される。
【００６２】
また、本実施形態に係る空気清浄機１では、加湿フィルタ３は、鉛直方向下縁部側から給水管２２の鉛直方向下部に向かって延びる途中で給水管２２の空気下流側の側面部に至るように延びている。この空気清浄機１によれば、給水管２２から滴下する水は、より確実に加湿フィルタ３に受け止められて吸収される。
【００６３】
また、本実施形態に係る空気清浄機１では、図３に示すように、給水管２２は、連結管２３と連結する一端側から他端側に向けて下り勾配に傾斜している。この空気清浄機１によれば、連結管２３から給水管２２内に供給される水が、給水管２２内に滞留することなく、給水穴２２ａから効率よく加湿フィルタ３に供給される。
【００６４】
図５は、本発明の実施形態に係る空気清浄機の中央断面図である。図５に示す通り、加湿フィルタ３は、鉛直方向下縁部側から給水管２２の鉛直方向下部に向かって配置され、給水管２２側（給水機構側）で折り返すような形状となるよう組み込まれている。言い換えると、加湿フィルタ３は、鉛直方向下縁部側から給水管２２の鉛直方向下部に向う板状の部分である加湿フィルタ板部３ｂと、折り返すような形状となる加湿フィルタ折り返し部３ａと、が存在するよう組み込まれている。上記形状とし、加湿フィルタ３の折り返すような形状の部分（加湿フィルタ折り返し部３ａ）を有することにより、加湿フィルタ３の上側から滴下される水の流れを遅くし、下側に落ちる速さを抑制することが可能となる空気清浄機を提供できる。
【００６５】
更には、加湿フィルタ３の上部に（加湿フィルタ折り返し部３ａの上部に）吸水性が比較的低い不織布を配置すると更にゆっくりした滴下スピードが得られ一気に流れ落ちることを抑止可能となる。
【００６６】
以上、本発明の実施形態について説明したが、本発明は前記実施形態に限定されず、種々の他の形態で実施することができる。
【００６７】
前記実施形態では、送風機構１０が、フロントパネル４ａとプレート１６との間に配置される構成となっているが、送風機構１０をリアパネル４ｄと浄化フィルタユニット８との間に配置して、空気をフロントパネル４ａ側からハウジング４内に導き入れる構成とすることもできる。
【００６８】
また、前記実施形態では、加湿機能を備えた空気清浄機について記載したが、梅雨時等の湿度が高い空気の除湿を行う除湿機能も備えたいわゆる除加湿空気清浄機に用いる構成としてもよい。
【００６９】
＜検知機構＞
次に、浄化フィルタユニット８をハウジング４内から取り外したとき、特に集塵フィルタ８ｂをハウジング４内から取り外したときに、空気清浄機１の運転を停止するよう制御させるための検知機構について図５〜１０を用いて説明する。図５は、本発明の実施形態に係る空気清浄機の中央断面図である。図６は、本発明の実施形態に係る空気清浄機の背面から見た浄化フィルタユニットの配置を示す展開斜視図である。図７は、本発明の実施形態に係る空気清浄機の集塵フィルタを取り付けた状態の検知機構近傍の斜視図である。図８は、本発明の実施形態に係る空気清浄機の集塵フィルタを取り外した状態の検知機構近傍の斜視図である。図９は、本発明の実施形態に係る空気清浄機の集塵フィルタを取り付けた状態の検知機構の断面図である。図１０は、本発明の実施形態に係る空気清浄機の集塵フィルタを取り外した状態の検知機構の断面図である。
【００７０】
検知機構は、検知レバー３９と検知センサ４０とから構成されている。
【００７１】
検知レバー３９は、回動軸３９ａと遮蔽部３９ｂと接触部３９ｃとを有している。回動軸３９ａは、検知レバー３９をハウジング４（浄化フィルタユニット装着部５）に対して回動可能とすることができる部分である。回動軸３９ａが空気清浄機１の構成部品であるハウジング４センサ（浄化フィルタユニット装着部５）に取り付けられることで、検知レバー３９は、ハウジング４（浄化フィルタユニット装着部５）に対して回動可能となる。遮蔽部３９ｂは、後記する検知センサ４０で発光及び受光される赤外線を遮蔽することができる部分である。接触部３９ｃは、集塵フィルタ８ｂと接触することができる部分である。
【００７２】
本実施形態では、検知センサ４０は、赤外線発光部５３と赤外線受光部５４とを有している。検知センサ４０は、赤外線発光部５３から赤外線受光部５４への赤外線を遮蔽することにより（赤外線発光部５３から赤外線受光部５４へ赤外線が到達させないことにより）空気清浄機１の運転を可能とし、反対に赤外線を遮蔽しないことにより（赤外線発光部５３から赤外線受光部５４へ赤外線が到達させることにより）空気清浄機１の運転を停止するよう制御させるという、ＯＮ、ＯＦＦのスイッチと同じ役割を有しているものである。前記の通り、赤外線を遮蔽するために検知レバー３９の遮蔽部５２を用いる。ここで、検知センサ４０は赤外線を使用しているため、検知レバー３９の特に遮蔽部５２は、赤外線を遮蔽するために部品色相を黒色としている。なお、本実施形態では検知センサ４０は赤外線を使用しているが、この限りではない。集塵フィルタ８ｂの装着の有無を検知するものであればよい。
【００７３】
集塵フィルタ８ｂをハウジング４から取り外すときの検知機構の動作を説明する。集塵フィルタ８ｂをハウジング４に取り付けた状態は、遮蔽部３９ｂは赤外線発光部５３と赤外線受光部５４の間に位置することで検知センサ４０の赤外線を遮蔽し、接触部３９ｃは集塵フィルタ８ｂと接触した状態である。この取り付け状態から、集塵フィルタ８ｂをハウジング４から取り外し始めると、集塵フィルタ８ｂと接触部３９ｃとが接触する位置が変わるように回動軸３９ａが回動し、それに応じて遮蔽部３９ｂの位置が変わる。集塵フィルタ８ｂをハウジング４から取り外した状態では、遮蔽部３９ｂは赤外線発光部５３と赤外線受光部５４の間よりも下に位置し検知センサ４０の赤外線を遮蔽せず、接触部３９ｃは集塵フィルタ８ｂと接触しない状態となる。この取り外し状態では、検知センサ４０の赤外線発光部５３から赤外線受光部５４へ赤外線が到達し、空気清浄機１の運転が停止するよう制御し、後記する操作部を操作しても空気清浄機１の運転を行わないように制御させる。
【００７４】
取り外し状態から、集塵フィルタ８ｂをハウジング４（浄化フィルタユニット装着部５）に取り付け始めると、集塵フィルタ８ｂと接触部３９ｃとが接し、回動軸３９ａが回動し、それに応じて接触部３９の位置が変わる。集塵フィルタ８ｂを本体に取り付けた状態では、前述の通り、遮蔽部３９ｂは赤外線発光部５３と赤外線受光部５４の間に位置することで検知センサ４０の赤外線を遮蔽し、接触部３９ｃは集塵フィルタ８ｂと接触した状態となる。この取り付け状態では、検知センサ４０の赤外線発光部５３から赤外線受光部５４への赤外線を遮蔽部３９ｂで遮蔽することにより、操作部を操作すると空気清浄機１の運転を行うことができるように制御させる。
【００７５】
取り付け状態から取り外し状態になるとき、遮蔽部３９ｂは自重により下方向へと回動し、赤外線発光部５３と赤外線受光部５４との間で赤外線を遮蔽する状態から遮蔽しない状態へと回動する。
【００７６】
取り外し状態から取り付け状態になるとき、遮蔽部３９ｂは上方向へと回動し、赤外線を遮蔽しない状態から赤外線発光部５３と赤外線受光部５４との間で赤外線を遮蔽する状態へと回動する。
【００７７】
ここで、検知レバー３９の一端（接触部３９ｃ）が検知センサ４０間（赤外線発光部５３と赤外線受光部５４との間）に位置する状態は、浄化フィルタユニット８のうち特に集塵フィルタ８ｂが浄化フィルタユニット装着部５に取り付けられている状態であり、検知レバー３９の一端（接触部３９ｃ）が浄化フィルタユニット装着部５内に位置する状態は、浄化フィルタユニット８が浄化フィルタユニット装着部５に取り付けられていない状態である。
【００７８】
空気清浄機１のハウジング４には、浄化フィルタユニット８を取り付けるための略四角形状の浄化フィルタユニット装着部５が形成されている。検知レバー３９や検知センサ４０といった検知機構は、浄化フィルタユニット装着部５の上面に位置している。
【００７９】
検知機構が浄化フィルタユニット装着部５の外面の特に上外面に位置している理由は次の通りである。
【００８０】
まず、検知機構が上面ではなく、背面（浄化フィルタユニット８が本体に取り付けられた際に浄化フィルタユニット８により表から見えなくなる面）に位置している場合について検討する。ここで、浄化フィルタユニット８のうち最も表面（浄化フィルタユニット８が本体に取り付けられた際に表から見える面）側に位置するプレフィルタ８ａは、安価構造のものは、プレフィルタ８ａをたわませてハウジング４から取り出すタイプが一般的である。フィルタユニットプレフィルタ８ａが経時変化により変形し、それに応じて集塵フィルタ８ｂの位置も変位する恐れがある。検知機構が背面に位置している場合、変位した状態では検知レバー３９の検知センサ４０に対するストローク等が不足し検知できなくなる恐れがある。
【００８１】
次に、検知機構を風路に直接配置するものを検討する。検知機構が風路に位置する場合、長期使用時に粉塵が検知機構に入る恐れや、細かいごみが検知機構の周囲に引っかかり蓄積する恐れが考えられる。粉塵が検知機構に入る、細かいごみが検知機構の周囲に引っ掛かり蓄積することで、常に赤外線を遮った状態となり、浄化フィルタユニット８を本体から取り外しても運転を停止する機能が動作しなくなる恐れがある。
【００８２】
検知機構を、集塵フィルタ８ｂを専用に装着するケース形状をした枠体部品に取付けた構造とした場合を検討する。上記の場合は、枠体部品の寸法ばらつきや枠体部品の経時変化が起こる恐れがある。寸法ばらつきや経時変化が起こると、集積公差上確実に動作する位置に配置されず、検知できなくなる恐れがある。
【００８３】
検知機構を、浄化フィルタユニット装着部５の内面の特に下内面に位置する場合を検討する。検知機構が下内面に位置する場合、長期使用していると細かいごみが集塵フィルタ８ｂに付着する。集塵フィルタ８ｂのハウジング４（浄化フィルタユニット装着部５）からの取り外しの際に、ごみが下側にこぼれ、検知機構に入り噛み込む恐れが考えられる。ごみが検知機構に入ると常に赤外線を遮った状態となり、浄化フィルタユニット８を本体から取り外しても運転を停止する機能が動作しなくなる恐れがある。
【００８４】
検知機構を、浄化フィルタユニット装着部５の下側に位置する場合について検討する。ここで、実使用での使用環境の中では、湿度が高い部屋で使用される場合があり、さらには、急激に温度が低下すると相対湿度が上り、結露しやすい環境で空気清浄機１が放置されていることもある。検知機構のような電気部品を下側に配置すると、結露した水分が下側に落ち、検知機構に入り込む恐れがある。加湿機能が付いている空気清浄機の場合、水を扱うため結露や水を万一かけられても、動作への支障が少ないことが必要となる。
【００８５】
検知機構が浄化フィルタユニット装着部５の外面の特に上外面に位置することで、上記様々な恐れが低減される。検知機構が浄化フィルタユニット装着部５の外面の特に上外面に位置することで、集塵フィルタ８ｂが仮に経時変化や衝撃により多少変位しても検知できるストロークを確保している。更には、検知機構が上側に位置しているため、遮蔽部３９ｂが自重により規定の位置に戻り信頼性も高くなる。
【００８６】
符号３５は車輪である。符号３８は電源コードである。符号４５は空気吸込口である。
＜モータ取り付け構造＞
次にモータ１３をスクロール１２に取り付けるモータ取り付け構造について図１１〜１４にて説明する。図１１は、本発明の実施形態に係る空気清浄機の送風機構（大きいモータ組込）の部分展開斜視図である。図１２は、本発明の実施形態に係る空気清浄機の送風機構（小さいモータ組込）の部分展開斜視図である。図１３（ａ）は、本発明の実施形態に係る空気清浄機の大きいモータを組み込んだときの展開斜視図である。図１３（ｂ）は、本発明の実施形態に係る空気清浄機の大きいモータを組み込んだときの正面図である。図１４（ａ）は、本発明の実施形態に係る空気清浄機の小さいモータを組み込んだときの展開斜視図である。図１４（ｂ）は、本発明の実施形態に係る空気清浄機の小さいモータを組み込んだときの正面図である。
【００８７】
図１１と図１２には、取り付けるモータ１３の大きさが異なる場合でも同じ部品で対応できる構成のスクロール１２を示している。
【００８８】
基本的な取り付け方法としては以下の通りである。
【００８９】
スクロール１２におけるモータ１３の取り付け側には、スクロール１２に一体に形成された固定用ネジボス５５が複数設けられている。複数の固定用ネジボスは、モータ１３を取り付けた状態におけるモータ１３の中心に対し、モータ１３の直径と略同一直径の範囲で形成されている。固定用ネジボス５５は、取り付けるモータ１３の種類（大きさ）に応じて任意の高さに取り付けられるよう形成されるものであり、長さの異なる固定用ネジボスである。モータホルダ２９は、モータ１３を挟むように、固定用ネジボス５５にネジ止め固定するものである。
【００９０】
本実施例では大きさの異なる２種類のモータ１３（大きいモータ１３ａ、小さいモータ１３ｂ）を使用する場合について説明する。本実施例では、スクロール１２には、長さの異なる複数の固定用ネジボス５５として、長さの長い固定用ネジボス５５ａが３本と、長さの短い固定用ネジボス５５ｂが３本設けられている。長さの長い固定用ネジボス５５ａと長さの短い固定用ネジボス５５ｂは交互に設けられており、各固定用ネジボスを線で結ぶと略三角形状となるように設けられている。モータホルダ２９は、略三角形状であり、各頂点にはネジ止め用の穴が設けられている。
【００９１】
図１１及び図１３に示すように大きいモータ１３ａを組み込むときには、長さの長い固定用ネジボス５５ａを用いる。まず、スクロール１２に大きいモータ１３ａを組み込む。次に、大きいモータ１３ａの抑えと回動防止を兼ねる目的で、モータホルダ２９を、大きいモータ１３ａを挟むように、長さの長い固定用ネジボス５５ａにネジ止めし固定する。
【００９２】
図１２及び図１４に示すように小さいモータ１３ｂを組み込む時には、長さの短い固定用ネジボス５５ｂを用いる。まずスクロール１２に小さいモータ１３ｂを組み込む。次に、小さいモータ１３ｂの抑えと回動防止を兼ねる目的で、モータホルダ２９を、小さいモータ１３ｂを挟むように、長さの短い固定用ネジボス５５ｂにネジ止めし固定する。
【００９３】
長さの異なる固定用ネジボス５５をスクロール１２に設けることで、モータ１３の大きさに合った固定用ネジボス５５に固定することができる構造となっている。
【００９４】
大きさの異なるモータ１３を組み込む場合でも、部品点数を増やすことのない空気清浄機１を構成することが可能となる。
【００９５】
符号３０は感震器である。
＜電源基板ケース取り付け構造＞
次に電源基板ケース３１のハウジング４への取り付け構造（電源基板の取り付け構造）について図１１〜１４にて説明する。
【００９６】
図１１〜１４等に記載のように、スクロール１２は、遠心ファン１１を収納する収納部１２ａと、吹出口を構成する上部開口部１２ｂと、収納部１２ａと上部開口部１２ｂとをつなぐ通路部１２ｃと、を有している。側面から見たときに、収納部１２ａは略円形状であり、上部開口部１２ｂは収納部１２ａの直径と略同じ程度の幅を有し、通路部１２ｃは、収納部１２ａの右上から上部開口部１２ｂに向かって幅が広がっていく形状である。スクロール１２をハウジング４に取り付けると、スクロール１２の左上から上部開口部１２ｂの端部に至る部分は空間となる。
【００９７】
本実施例では、空気清浄機１の本体大きさ（奥行）が大きくなることを抑止するため、送風機構１０に構成されるスクロール１２の遠心ファン１１の回転部周囲と吹出し口を構成する開口部の間に（スクロール１２の左上から上部開口部１２ｂの端部に至る部分に）、電源基板ケース３１を配置している。これにより、空気清浄機１の運転に使用しない空間に、電源基板ケース３１（電源基板）を配置することになり、有効にスペースを利用でき、空気清浄機１の本体大きさ（奥行）が大きくなることを抑止することが可能となる。
＜ロックレバー＞
次にロックレバー４１について、図１５〜１７を用いて説明する。
図１５（ａ）は、本発明の実施形態に係る空気清浄機のロック解除時の斜視図である。図１５（ｂ）は、本発明の実施形態に係る空気清浄機のロック時の斜視図である。図１６（ａ）は、本発明の実施形態に係る空気清浄機のロック解除時の断面図である。図１６（ｂ）は、本発明の実施形態に係る空気清浄機のロック時の断面図である。図１７（ａ）は、本発明の実施形態に係る空気清浄機のロック解除時の部分拡大図である。図１７（ｂ）は、本発明の実施形態に係る空気清浄機のロック時の部分拡大図である。
【００９８】
本実施例では、浄化フィルタユニット８のうち最も後側（外側）に位置する面に大きなホコリを捕集するためのプレフィルタ８ａを、ハウジング４に取り付ける（外れないように固定する）ためのロックレバー４１の構造を示している。ロックレバー４１は、ハウジング４の左右に１つずつ設けられている。ロックレバー４１はスライド方式となっており、ロックレバー４１を上下に切り替えることで、ハウジング４へのプレフィルタ８ａのロック解除、ロックが可能となる。ロックレバー４１を上にスライドさせ、プレフィルタ８ａのロックを解除することで、プレフィルタ８ａをハウジング４から取り外すことができ、集塵フィルタ８ｂや脱臭フィルタ８ｃもハウジング４内から取り外すことができる。ロックレバー４１はスライド方式のため、複雑なロック解除の方法でないため容易に操作ができる。
【００９９】
プレフィルタ８ａのハウジング４への取り付けは以下の通りである。ハウジング４に形成されたプレフィルタ取り付け用凹部４７（図６参照）に、プレフィルタ８ａの下側に一体に形成されているプレフィルタ取り付け凸部４８（図６参照）を挿入し奥側に回動させ、プレフィルタ８ａの両側面に形成されているロック用凸部５０をロックレバー４１の取り付け部にセットし、ロックレバー４１を下にスライドさせることでロックが可能となり、プレフィルタ８ａはハウジング４へ取り付けられる。
【０１００】
プレフィルタ８ａのハウジング４からの取り外しは以下の通りである。プレフィルタ８ａは、プレフィルタ取り付け用凹部４７に、プレフィルタ取り付け用凸部４８を挿入し、ロックレバー４１で取り付けられているため、ロックレバー４１を上にスライドさせロックを解除した集塵後に、プレフィルタ８ａはプレフィルタ取り付け用凹部４７が支点となり集塵フィルタ８ｂとプレフィルタ８ａとを回動させ一緒に手前に引き出すことができ、別々に取り出す手間も省け、取扱性のよい空気清浄機１を提供することができる。更に、ハウジング４の上部に設けられている集塵フィルタ取り出し溝４６に指を入れ、プレフィルタ８ａや集塵フィルタ８ｂの上部に指をかけて引くことで、更に取扱性のよい空気清浄機１を提供することができる。
【０１０１】
また、浄化フィルタユニット８を取り外す際には捕集したごみに出来るだけ手を触れずに交換できるほうが望ましい。上記の通り、プレフィルタ８ａと集塵フィルタ８ｂとを一緒に取り出すことができるので、集塵フィルタ８ｂに付着したゴミがプレフィルタ８ａにより抑えられ床にこぼれたり、直接手に触れることを抑制でき、更に取扱性のよい空気清浄機１を提供することができる。
【０１０２】
なお、本実施形態ではロックレバー４１はハウジング４の左右に設け上下のスライドでプレフィルタ８ａのロック解除、ロックを可能としているが、ロックレバー４１のスライドによりプレフィルタ８ａのロック解除、ロックが可能であればこの限りではない。例えば、ロックレバー４１をハウジング４の上下に設け左右へのスライドでプレフィルタ８ａのロック解除、ロックを可能としてもよい。
＜フロントパネル４ａ＞
図１８は、本発明の実施形態に係るフロントパネルの分解斜視図である。
【０１０３】
機器本体前面のフロントパネル４ａは、図１８に示すように、強化処理が施されたガラス板４ａ１と、ガラス板４ａ１を保持しフロントパネル４ａの枠となる枠体４ａ２と、表示ユニット４ａ３と、ガラス板４ａ１と枠体４ａ２とを保持しフロントパネル４ａの骨格となるパネルベース４ａ４と、を有する。
【０１０４】
ガラス板４ａ１の表面と同一平面上にはタッチスイッチによる操作部が設けられている。
【０１０５】
図１に記載のように、フロントパネル４ａは、空気清浄機１における前面に設けられている。従来、機器上面に配置されていた操作部では、操作ボタン部や機器筺体のつなぎ目などの隙間により上から下へ流体が侵入する恐れがあったのに対し、上述のようにタッチスイッチの操作部を備えるフロントパネル４ａを空気清浄機１における前面に設けた（タッチスイッチによる操作部が当該空気清浄機１の前面に設けられた）ことにより、流体が侵入しにくくしたという効果を奏する。特に、切れ目のないガラス板４ａ１の裏面に表示ユニット４ａ３を配置したことにより、表示ユニット４ａ３の内部基板への異物、水等の侵入を防止することができるという効果を奏する。
＜ガラス板４ａ１＞
また、操作部の表面であるガラス板４ａ１は、なめらかで表面が固いガラス面なので、使用者が雑巾で水拭き清掃する際も、清掃しやすく、水が浸入する恐れも、表面に傷をつける恐れも少ないという効果を奏する。
【０１０６】
従来、フロントパネルは樹脂製で意匠性を向上させる主な手法として、高光沢面を出すための金型表面研磨を高精度に行う必要があった。また、さらに高意匠とするために、表面に塗装、コーティング等の後処理を行う手法をとっていたが、後加工の費用が高価であること、成形品表面の微妙な凹凸による塗装のムラ(均一性)、異物の混入等、どうしても後処理の中での不良が避けられず、その費用が高額となる恐れがあった。
【０１０７】
フロントパネル４ａに強化処理が施されたガラス板４ａ１を採用することにより、ガラスの均一な面による光沢の美しさ、塗装する際の均一性、生産の安定性を同時に得ることができる。
【０１０８】
ガラス板４ａ１は裏面に透明有色塗料が塗布されている（透光性の塗装が施されている）。これにより、表示ユニット４ａ３に投影される光は明確に視認される。また、投影される光の表示の必要がない場合は照明を消灯することができ、その際はガラス塗装のみのフロントパネル４ａの外観となり意匠性を高めることができる。また、表示ユニット４ａ３の接する面を除いて、裏面の構造物が透けて見えないよう光を隠蔽する塗料をその上に重ね塗りしている。ガラス板４ａ１の裏面に施される塗装は、操作結果を後方から照明装置（ＬＥＤ）で照射表示する部位と照射しない部位との塗装色外観に差が出ないよう、照射しない部位は前記操作部の操作結果を前記ガラス板の前面に表示する表示部を有する印刷フィルム４ａ３１（後述）と合わせた色で光透過性のない隠蔽塗装を施している。言い換えると、ガラス板４ａ１の背面（裏面）における表示部が照射されない部分は、フィルム４ａ３の色と同じ色で光透過性のない塗装が施されている。また、ごく一部を除いて塗装はすべて裏面に設けてあり、操作する時に使用者が触れるガラス板４ａ１の表面は何も印刷等表示のない一様な面とし、意匠性に優れたフロントパネル４ａを構成している。ガラス板４ａ１の表面はガラス面そのままの滑らかな面であることから雑巾等で清掃の際にも引っかかり、凹凸などなく清掃しやすい。
【０１０９】
また、ガラス板４ａ１の裏面には保護フィルム（図示なし）が貼り付けられている。この保護フィルムは、ガラス板４ａ１に大きな衝撃が加えられてガラスが割れた場合や亀裂が入った場合であっても、周囲に飛び散らないよう保護している。また、この保護フィルムは、透明有色塗料面上に貼られている。このフィルムはまた、内部構造物が透けてガラス板４ａ１の裏面にうつり外観を損なうことを防止する役割も併せ持つ。
【０１１０】
また、表示ユニット４ａ３の短手方向と、ガラス板４ａ１の短手方向は、交差するように配設されている。これは、ガラス板４ａ１に熱処理を加えた場合、その歪は長手方向に現れやすい性質に基づく。すなわち、この性質に鑑みて、表示ユニット４ａ３を設置した場合における、ガラス板４ａ１の歪の影響を抑制する構成としている。
【０１１１】
ここで、ガラス板４ａ１の長手方向に、表示ユニット４ａ３の長手方向が沿うように組み込んだ場合、ガラス板４ａ１の歪の影響を受け、ガラス板４ａ１と表示ユニット４ａ３上の検出部との間に隙間が生じやすくなり、電極間の静電容量の変化が不規則になる、あるいは変化しにくいという課題を生じる。
【０１１２】
そこで、本実施の形態では、表示ユニット４ａ３の長手方向はガラス板４ａ１の長手方向に交差する方向に配設している。
＜表示ユニット４ａ３＞
図１９は、本発明の実施形態に係る表示ユニットの分解斜視図である。
【０１１３】
図１９は、表示ユニット４ａ３の分解斜視図である。図１９により、表示ユニット４ａ３の構造を説明する。
【０１１４】
表示ユニット４ａ３は、印刷フィルム４ａ３１と、導光板４ａ３２と、ガラス板４ａ１の表面の操作部を手で触れることによる静電容量の変化を検出する検出部であるタッチスイッチ基板４ａ３３と、表示基板４ａ３５の照明手段の光を前方向へのみ出射するようにするような穴があいている遮光板４ａ３４と、該検出部の検出結果に基づいて基板上の照明手段（ＬＥＤ）を制御する制御部である表示基板４ａ３５と、ケース４ａ３６と、を備える。なお、表示ユニット４ａ３は、導光板４ａ３２とタッチスイッチ基板４ａ３３と、遮光板４ａ３４と、表示基板４ａ３５と、を収容し、表面フィルム４ａ３１を貼り付けるケース４ａ３６からなり、各基板上のＬＥＤにより照明されて、ガラス板４ａ１前面までその光が透過して、浮き上がって見えるように構成されている。
【０１１５】
文字、記号を抜き文字とした印刷フィルム４ａ３１は、表示ユニット４ａ３の表面に貼りつけられている。印刷フィルム４ａ３１は、ガラス板４ａ１の裏面に、密着或いは隙間がごく僅かとなるよう取り付けられている。そのため、ガラス板４ａ１を透過して、正面から、明確にその文字表示を確認することができる。すなわち、視認性が高く、かつ平面なガラス板４ａ１で外表面が構成された、外観性の優れたフロントパネル４ａを構成している。さらにこのフィルム４ａ３１の印刷色は、ガラス板４ａ１を正面から見たときに表示部とその周囲の光隠蔽塗装との差が出ないように合わせて、フロントパネル４ａの外観が一様な塗装と見えるようにして意匠性を高めている。
【０１１６】
静電容量の変化を検出する検出部であるタッチスイッチ基板４ａ３３には、検出部位置を投影するためのＬＥＤも搭載し、タッチスイッチ基板４ａ３３の基板面上に密着して配置される導光板４ａ３２により、その光で明確にガラス板４ａ１表面上の操作部エリアを投影する。さらに導光板４ａ３２は、フィルム４ａ３１にも密着している。
【０１１７】
表示基板４ａ３５は、タッチスイッチ基板４ａ３３による検出部の検出結果に基づいて基板上の照明手段（ＬＥＤ）を制御し、操作状態をガラス板４ａ１に透過表示するためのものである。
【０１１８】
また、上面で操作、機器の状態表示を行っている機器の場合、操作後に機器より離れてしまうと機器の上面は見難く、近づかないと操作や状態を確認できない場合が多いが、本実施例のように表示ユニット４ａ３を備えるフロントパネル４ａを空気清浄機１の前側面備え、空気清浄機１の前側面にて機器の状態をＬＥＤ光照明により表示を行うことで、離れた所からでも機器の状態を明確に視認することができる。
【０１１９】
なお、操作の判定部（図示せず）は、ガラス板４ａ１表面操作部とタッチスイッチ基板４ａ３３との間の静電容量変化を検出した信号が、ある閾値を超えたときに操作の判定を行う。静電容量に変化がある場合、当該静電容量の変化に応じて発振，振幅が変化する発振回路を含んでいる。これにより、判定部が出力するスイッチ信号，オン／オフ信号を取り出した自動制御部は、負荷駆動の出力を行う。なお、単にガラス板４ａ１表面操作部に使用者が近接したり、使用者が掃除のために拭いたりする動作等によっては、判定部がオン／オフ信号を出力しない構成としてもよい。
【０１２０】
図２０は、本発明の実施形態に係るフロントパネルの断面図である。ガラス板４ａ１の表面操作部に対向するガラス板４ａ１の裏面には、表示ユニット４ａ３の表面フィルム４ａ３１が密着するよう取り付けられ、その文字表示は、タッチスイッチ基板４ａ３３、表示基板４ａ３５のＬＥＤ発光により、裏面から照らされて明示される。
【０１２１】
更に、ガラス板４ａ１表面操作部に指が触れると、タッチスイッチ基板４ａ３３上の検出部が、ガラス板４ａ１との間の静電容量を感知し、その変化を判定部に伝達する。そして、判定部がその値を判定し、操作入力と判断すると、プログラムされた運転を動作させる。
【０１２２】
判定部が静電容量の変化を入力と判定した際には、表示基板４ａ３５に搭載されたブザーが報知音を発し、入力した運転状態表示箇所を点滅してその運転に切り替えられたことを表現する。
【０１２３】
これにより、従来操作部の樹脂ボタン、操作部装飾シート上のボタン位置を押すことで、その背面に設置されたマイクロスイッチ等の機械式のスイッチを動作させていたものに対して、触れるだけで操作が可能となり操作感を向上させることができる。
【０１２４】
基板ケース４ａ３６は凸部を有し、凸部のバネ性により基板ケース４ａ３６をガラス板４ａ１へ押しつける。これに伴い、基板ケース４ａ３６内に位置する基板（タッチスイッチ基板４ａ３３と表示基板４ａ３５）をガラス板４ａ１へと押しつけることができる。これにより、ガラス板４ａ１の表面操作部に触れた際にも操作部が動作しないという恐れを減らすことができる。
【０１２５】
また、空気清浄機１では、例えば冷蔵庫などに用いられる表示ユニットに比べて、表示ユニット４ａ３が大きいため、表示ユニット４ａ３の後部に配置する基板（タッチスイッチ基板４ａ３３と表示基板４ａ３５）に両面基板のみを用いると、高額となる恐れがある。本実施の形態のように、タッチスイッチ基板４ａ３３には両面基板を用い、表示基板４ａ３５には片面基板を用いることで、安価とすることができる。また、両基板とも片面基板を用いることで更に安価とすることもできる。
【０１２６】
本実施の形態に記載の空気清浄機１は、空気清浄機１本体の背面から本体内へと空気を吸込み、空清を行った後に、本体外へと空気を吐出する構造である。
【０１２７】
ここで、一般的な空気清浄機は本体正面に意匠パネル、意匠パネルの背面から機内へ空気を吸い込む空気吸込み口があり、吸込んだ空気を機内のフィルタを通して本体外へと空気を吐き出しする構造となっているものが多い。このように意匠パネルの背面から機内へ空気を吸い込む構造で、意匠パネルの背面にタッチスイッチ基板４ａ３３や表示基板４ａ３５等を配置した場合、基板ケース４ａ３６で両基板を覆う構造とするだけでは、配線の引き出し口等開口部がどうしても出来てしまい、基板ケース４ａ３６内部へ吸込みの風が浸入する恐れがあり、それを防止するためにはさらにその上に覆いとなるケースを追加したり、開口部のシール材等が必要になり、より多くのコストをかける必要が発生する恐れがある。本実施形態では、前述のように空気清浄機１本体の背面側から本体内へと空気を吸込む構造としたことにより、前側の意匠パネルであるガラス板４ａ１の背面を閉じた構造とすることができ、吸込んだ空気が意匠パネルの背面のタッチスイッチ基板４ａ３３や表示基板４ａ３５等に流れ込む恐れを減らすことができる。
【符号の説明】
【０１２８】
１      空気清浄機
２      給水機構
３      加湿フィルタ
３ａ    枠体
３ｂ    水受けトレイ
３ｃ    ドレイン孔
４      ハウジング
４ａ    フロントパネル
４ａ１    ガラス板
４ａ２    枠体
４ａ３    表示ユニット
４ａ３１  印刷フィルム
４ａ３２  導光板
４ａ３３  タッチスイッチ基板
４ａ３４  遮光板
４ａ３５  表示基板
４ａ３６  基板ケース
４ａ４    パネルベース
４ｂ    サイドパネル
４ｃ    アッパケース
４ｄ    リアパネル
４ｅ    リアケース
４ｆ    開閉蓋
４ｇ    開口
５      浄化フィルタユニット装着部
６      タンクベース
６ａ    受け皿
６ｂ    連通孔
７      フラップ
８      浄化フィルタユニット
８ａ    プレフィルタ
８ｂ    集塵フィルタ
８ｃ    脱臭フィルタ
１０    送風機構
１１    遠心ファン
１２    スクロール
１２ａ  収納部
１２ｂ  上部開口部
１２ｃ  通路部
１３    モータ
１３ａ  大きいモータ
１３ｂ  小さいモータ
１４    フィルタ
１６    プレート
２０    水タンク
２０ａ  連通孔
２１    ポンプ
２１ａ  アダプタ管
２２    給水管
２２ａ  給水穴
２３    連結管
２３ａ  連結部
２４    汲み上げ管
２４ａ  吸込孔
２６    フィルタケース
２７    ベルマウス
２８    タンクハウス
２９    モータホルダ
３０    感震器
３１    電源基板ケース
３３    電源ボタン
３５    車輪
３８    電源コード
３９    検知レバー
３９ａ  回動軸
３９ｂ  遮蔽部
３９ｃ  接触部
４０    検知センサ
４１    ロックレバー
４６    集塵フィルタ取り出し溝
４７    プレフィルタ取り付け用凹部
４８    プレフィルタ取り付け用凸部
５０    ロック用凸部
５３  赤外線発光部
５４  赤外線受光部
５５  固定用ネジボス
５５ａ  長い固定用ネジボス
５５ｂ  短い固定用ネジボス
【図１】
2016070539.tif 000003
【図２】
2016070539.tif 000004
【図３】
2016070539.tif 000005
【図４】
2016070539.tif 000006
【図５】
2016070539.tif 000007
【図６】
2016070539.tif 000008
【図７】
2016070539.tif 000009
【図８】
2016070539.tif 000010
【図９】
2016070539.tif 000011
【図１０】
2016070539.tif 000012
【図１１】
2016070539.tif 000013
【図１２】
2016070539.tif 000014
【図１３】
2016070539.tif 000015
【図１４】
2016070539.tif 000016
【図１５】
2016070539.tif 000017
【図１６】
2016070539.tif 000018
【図１７】
2016070539.tif 000019
【図１８】
2016070539.tif 000020
【図１９】
2016070539.tif 000021
【図２０】
2016070539.tif 000022